(57)【要約】【課題】  必要にして充分な調整を極めて容易にできる調整ストライクを提供する。【解決手段】  一面が開口した箱状の本体部２をゆうするトロヨケの上に、係止孔１１を中央部に開口させた細長い板状の調整板４を、その両側に開口した一対の斜の長穴１２、１２を介して止めねじ６、６に係合させ、同じ止めねじによって締めつけられるストライク板１３の中央に調整孔を開口させると共に、この調整孔の上下の開口端縁に段部１５、１５を形成し、調整孔内に臨む調整板の係止孔の開口端縁をドライバ等により一の段部に整合するように移動させる。【選択図】  図５
2007177526.tif 000002
【特許請求の範囲】
【請求項１】
一面が開いた箱状体であり、扉閉鎖時扉の自由側端縁に対向する戸枠の内側面、扉の下端縁に対向する床面或いは扉の上端縁に対向する戸枠の上辺に埋設され、開口端縁に一体的に結合された一対の取付板を有するトロヨケと、中央部に矩形の係止孔を形成した細長い板状体である調整板と、中央部に矩形の調整孔を開口させたストライク板とを有し、トロヨケとストライク板との間に調整板を挟んで止めねじによりねじ止めするものであって、少なくとも上記取付板と調整板の相互に対向する表面に噛み合い可能なセレーションを刻設すると共に、調整板の係止孔を挟む両端部に、止めねじと摺動可能に係合する一対の相互に平行な斜の長穴を形成し、一方、ストライク板の調整孔の扉の見込み方向に沿う開口端縁の少なくとも一方に複数の段部を形成し、止めねじを弛めた状態で、調整孔内に臨む調整板の係止孔の開口端縁をドライバ等により一の段部に整合するように移動させ、しかる後止めねじを締めるようにしたことを特徴とする調整ストライク。
【発明の詳細な説明】
【技術分野】
【０００１】
この発明は、調整ストライクに係り、特に、調整量を連続的には設定できないが、必要にして充分な調整を極めて容易にできる調整ストライクに関する。
【背景技術】
【０００２】
回転扉は、閉鎖時、その自由側端縁から戸枠に形成されたストライク孔にデッドボルト及び／またはラッチボルトを投入して扉を扉枠に係止し、或いは錠止する。
【０００３】
これは、下記特許文献１に記載された両開扉、或いは所謂グレモン錠の場合も同様であるが、これらの場合、ストライクは床面或いは戸枠の上辺に設けられる。
【特許文献１】特開平４−３８３８５号公報
【特許文献２】実公平１−９８９４号公報
【特許文献３】特許第３６３９９３０号に係る特許公報
【発明の開示】
【発明が解決しようとする課題】
【０００４】
ところで、取付け誤差や経年変化等によりストライクとデッドボルト或いはラッチボルトとの相対関係位置が狂うと、扉閉鎖時扉にガタが生じ、或いはデッドボルト等がストライクに掛からなくなる。
【０００５】
そのため、上記特許文献２或いは３は、デッドボルト或いはラッチボルトとストライク孔の係止端縁との距離をストライク装着後でも調整できるようにした調整ストライクを提案している。
【０００６】
しかしながら、特許文献２に記載の可動ストライクは係止端縁とデッドボルト等の距離を細かく調整できるが、少しずつ係止端縁をずらせて調整するため調整が面倒であり、特許文献３に記載のストライクは、調整は容易であるが構造が少し複雑である。
【０００７】
一方、デッドボルト等とストライクの係止端縁との距離を調節する際、これらの距離を細かく調整する必要は無く、大体必要にして充分な隙間があればよいのであって、この隙間が小さければかえってデッドボルトの掛かりが悪くなる。
【０００８】
そこで、この発明は、必要にして充分な調整を極めて容易にできる調整ストライクを提供することを目的としている。
【課題を解決するための手段】
【０００９】
上記の目的を達成するため、請求項１に記載の発明は、一面が開いた箱状体であり、扉閉鎖時扉の自由側端縁に対向する戸枠の内側面、扉の下端縁に対向する床面或いは扉の上端縁に対向する戸枠の上辺に埋設され、開口端縁に一体的に結合された一対の取付板を有するトロヨケと、中央部に矩形の係止孔を形成した細長い板状体である調整板と、中央部に矩形の調整孔を開口させたストライク板とを有し、トロヨケとストライク板との間に調整板を挟んで止めねじによりねじ止めするものであって、少なくとも上記取付板と調整板の相互に対向する表面に噛み合い可能なセレーションを刻設すると共に、調整板の係止孔を挟む両端部に、止めねじと摺動可能に係合する一対の相互に平行な斜のスリットを形成し、一方、ストライク板の調整孔の扉の見込み方向に沿う開口端縁の少なくとも一方に複数の段部を形成し、止めねじを弛めた状態で、調整孔内に臨む調整板の係止孔の開口端縁をドライバ等により一の段部に整合するように移動させ、しかる後止めねじを締めるようにしたことを特徴とする。
【発明の効果】
【００１０】
上記のように構成された請求項１に記載の発明は、止めねじを弛め、ストライク板の調整孔内に臨む調整板の係止孔の開口端縁を段部の一つに整合させるだけで調整板の見込み方向の位置を極めて容易に、かつ精度良く設定することができる。
【００１１】
また、調整後止めねじを締めれば、調整板とトロヨケのセレーションの噛み合いが強固になるから、調整値を長期間保持することができる。
【００１２】
更にまた、調整板のスリットの角度を４５度にすれば、段差と調整両が同じになるので、調整板の位置の調整が更に容易になる、等種々の効果を奏する。
【発明を実施するための最良の形態】
【００１３】
ストライクの調整孔の見込み方向に沿う開口端縁に段差を設け、調整板の開口端縁をこの段差の一つに整合させるだけで必要にして充分な係止孔の調整を極めて容易に、かつ精度良く行うことができた。
【実施例１】
【００１４】
以下、この発明の一実施例を図面を参照して説明する。
なお、この実施例は、この発明を引用文献１に記載の両開扉の床面に設けられたストライクに適用したものを示している。
【００１５】
図１及び図２において符号１はトロヨケを示し、このトロヨケ１は、一面が開口した箱状体である本体部２を有し、この本体部２の見込み方向に沿う開口端縁に、一対の取付板３、３が一体に結合されている。
【００１６】
このトロヨケ１は、図２に示すように、上面に後述の調整板４及びストライク板５を載置した状態で床面に埋設され、止めねじ６により固定される。
【００１７】
なお、この発明による調整ストライクは、床面に限らず、扉閉鎖時扉の自由側端縁に対向する戸枠の内側面、或いは扉の上端縁に対向する戸枠の上辺にも装着し得る。
【００１８】
また、このトロヨケ１の取付板３には、図１に示すように、上記止めねじ６が挿通できるねじ孔７、７が開口しており、その周辺にセレーション８、８が刻設されている。
【００１９】
一方、図３において符号９は調整板を示し、この調整板４は見付け方向に細長い板状体で、その中央部に細長い係止孔１１が開口している。
【００２０】
なお、本発明においては、この係止孔の見込み方向に垂直な開口端縁がデッドボルト等と係合する。
【００２１】
上記調整板の図３における裏面、換言すれば組立状態でトロヨケの取付板と対向する面、には図示しないセレーションが刻設されており、このセレーションは図１に示すセレーション８とピッチが同じ場合もあるし、また異なる場合もあるが、何れにしても取付板と調整板のずれを有効に防止する。
【００２２】
また、調整板４の両端部には、上記止めねじ６と摺動可能に係合する一対の相互に平行な斜の長穴１２、１２が開口している。
【００２３】
他方、図４において符号１３はストライク板を示し、このストライク板１３の中央部には大体の形状が矩形の調整孔１４が、この調整孔１４の図４の上下方向における両側に皿付のねじ孔７が夫々開口している。
【００２４】
そして、調整孔１４の見付け方向における両側の開口端縁、すなわち、図４における上下方向の開口端縁には、夫々複数の段部（図４で３個）の段部１５、１５が形成されている。
【００２５】
また、上下方向における段部群１５、１５は夫々対称的に形成されている。なお、一の開口端縁における段部間は円弧の一部をなす曲線により接続されているが、これは加工上の問題であって、必ずしも段部間を曲線によって接続する必要はない。
【００２６】
図５乃至図８はこの発明による調整ストライクの調整例を示し、何れも止めねじを弛め、トロヨケの取付板３と調整板とが相対移動できる状態で行う。
【００２７】
すなわち、図５は係止孔１１の上方の開口端縁１１をストライクの上方の段部群の内真ん中の段部１５にドライバ等で整合させた状態を示す。なお、図５で符号１６は両開扉のデッド杆を示す。
【００２８】
上記のようにしてドライバ等で係止孔１１の上方の開口端縁を動かすと、図５から明らかなように、長穴１２と止めねじ６との間に生じる楔作用により、係止孔の左右の開口端縁が左右に移動する。
【００２９】
同様にして、図６は係止孔１１の上方の開口端縁が上方の段部群の内左側の段部１５に整合し、この場合、図９に示すように、ストライク板の調整孔の右側の開口端縁と、係止孔のそれとが整合している。
【００３０】
また、図７においては、係止孔１１の下側の開口端縁と、調整孔の下側真ん中の段部１５とが整合し、図８においては、係止孔１１の下側の開口端縁と、調整孔の下側左の段部１５とが整合している。
【００３１】
そして、図６から図８に向かうにつれ、係止孔の右側の開口端縁、すなわち、デッド杆１６を係止する開口端縁が右方に移動する。
【００３２】
更にまた、図６と図７の間でストライク１３が１８０度回転して装着され、このようにして段部を左右に移動させて調整量を増大させている。
【００３３】
調整が終了したら、止めねじ６、６を締めて調整値を固定する。
【実施例２】
【００３４】
図１０及び図１１はこの発明の他の実施例を示し、この実施例は、図１０に示すように、調整板４の表面側にも、換言すれば両面にセレーション８を刻設し、これに対応してストライク板の裏面にもセレーションを刻設して（図示せず）、止めねじ６によりストライク板及び調整板を締め付けたとき、結合をより一層強固にしたものである。
【００３５】
また、図１１に示すように、この実施例におけるストライク板１３の調整孔の上下の開口端縁の一方（図１１では上方）にしか段部１５、１５が形成されていない。
【００３６】
この場合、調整板４を例えば右側に動かすときには段部１５、１５を上方に配置し、反対側に動かすときには、ストライク板１３を１８０度回転させて装着する（図示せず）。
【図面の簡単な説明】
【００３７】
【図１】トロヨケの平面図。
【図２】この発明の一実施例による調整ストライクの縦断面図。
【図３】調整板の平面図。
【図４】ストライク板の平面図。
【図５】調整ストライクの調整例を示す平面図。
【図６】調整ストライクの調整例を示す平面図。
【図７】調整ストライクの調整例を示す平面図。
【図８】調整ストライクの調整例を示す平面図。
【図９】図６のＶＩ−ＶＩ線による断面図。
【図１０】この発明の他の実施例による調整板の平面図。
【図１１】この発明の他の実施例によるストライク板の平面図。
【符号の説明】
【００３８】
１  トロヨケ
２  本体部
３  取付板
４  調整板
５  ストライク板
６  止めねじ
７  ねじ孔
８  セレーション
１１  係止孔
１２  長穴
１３  ストライク板
１４  調整孔
１５  段部
【図１】
2007177526.tif 000003
【図２】
2007177526.tif 000004
【図３】
2007177526.tif 000005
【図４】
2007177526.tif 000006
【図５】
2007177526.tif 000007
【図６】
2007177526.tif 000008
【図７】
2007177526.tif 000009
【図８】
2007177526.tif 000010
【図９】
2007177526.tif 000011
【図１０】
2007177526.tif 000012
【図１１】
2007177526.tif 000013